【手続補正書】
【提出日】平成18年6月28日(2006.6.28)
【手続補正１】
【補正対象書類名】特許請求の範囲
【補正対象項目名】全文
【補正方法】変更
【補正の内容】
【特許請求の範囲】
【請求項１】
少なくとも一つの吸収層、及び約０．０１〜約１０００μｍの厚さを有する磁気弾性フィルムを含む少なくとも一つの感知手段を備えた吸収構造。
【請求項２】
少なくとも一つの吸収層が０〜１００％の超吸収材料を含む請求項１に記載の吸収構造。
【請求項３】
少なくとも一つの吸収層が少なくとも一つの取得層及び少なくとも一つの貯蔵層を形成する請求項１〜２のいずれかに記載の吸収構造。
【請求項４】
少なくとも一つの吸収層が少なくとも一つの乾燥層を含み、その層が所望により複数の個々のシート及び前記個々のシートを接合するための結合手段を含む請求項１〜２のいずれかに記載の吸収構造。
【請求項５】
磁気弾性フィルムが磁界で励起された後でかつ磁界が切れた時、磁気弾性フィルムが磁気音響共鳴振動数で振動する請求項１〜４のいずれかに記載の吸収構造。
【請求項６】
少なくとも一つの感知手段が１〜２０個の感知手段である請求項１〜５のいずれかに記載の吸収構造。
【請求項７】
磁気弾性フィルムが薄いフィルムであり、そのフィルムが磁気弾性材料、柔らかい磁気弾性材料、非晶質磁気弾性材料、及びそれらの混合物の如き磁気ひずみ材料からなる群から選択される請求項１〜６のいずれかに記載の吸収構造。
【請求項８】
磁気弾性フィルムがポリビニルアルコール、ポリビニルピロリドン、ポリエチレンオキサイド及びそのコポリマー、ポリウレタン、ポリアミド、スターチ及びその誘導体、セルロース及びその誘導体、ポリサッカライド、蛋白質、ポリアクリロニトリル、アクリレートベースのポリマー、及びそれらの混合物に基づいた線状及び親水性ポリマー又は化学／物理架橋膨潤性ポリマーゲルからなる群から選択された湿潤感受性ポリマーで被覆される請求項１〜７のいずれかに記載の吸収構造。
【請求項９】
磁気弾性フィルムが少なくとも一つの目標生物分析物及び／又は化学分析物を検出するために適応された少なくとも一つの検出分子で直接又は間接的に被覆される請求項１〜７のいずれかに記載の吸収構造。
【請求項１０】
請求項１〜９のいずれかに記載の吸収構造、体液透過性シート、及び本質的に体液不透過性の下部シートを含む、おむつ、パンツ型のおむつ、失禁衣料、衛生ナプキン、ワイプ、タオル、ティッシュ、ベッドプロテクタ、創傷包帯、又は類似製品の如き吸収物品。
【請求項１１】
請求項１〜９のいずれかに記載の吸収構造、前部分、後部分、前部分と後部分の間の股部分を含むおむつ及びパンツ型おむつ。
【請求項１２】
請求項１〜９のいずれかに記載の吸収構造が１〜１０個の感知手段を含む請求項１１に記載のおむつ。
【請求項１３】
請求項１〜９のいずれかに記載の吸収構造を含む、タンポン状製品の如き吸収物品。
【請求項１４】
吸収構造が乾燥状態の構造の全体重量で計算すると、ケミサーモメカニカルパルプの繊維から主に構成されたセルロース繊維５〜１００％、及び超吸収材料０〜９５％を含む請求項１３に記載の吸収物品。
【請求項１５】
所望により請求項１０〜１４のいずれかに記載の吸収物品の一部である請求項１〜９のいずれかに記載の吸収構造、及び前記磁気弾性フィルムを磁化するために磁界を生成する励起コイル及び所望により磁気音響共鳴周波数を検出するピックアップコイルを含むハンドヘルドユニットを含む感知吸収システム。
【請求項１６】
ハンドヘルドユニットが励起コイル及びピックアップコイルを含む請求項１５に記載の感知吸収システム。
【請求項１７】
請求項１〜９のいずれかに記載の吸収構造、請求項１０〜１４のいずれかに記載の吸収物品、又は請求項１５〜１６のいずれかに記載のシステムにおいて湿潤、及び／又は少なくとも一つの生物分析物及び／又は少なくとも一つの化学分析物を検出するための方法であって、下記工程：
ａ）請求項１〜９のいずれかに記載の吸収構造、請求項１０〜１４のいずれかに記載の吸収物品、又は請求項１５〜１６のいずれかに記載のシステムを準備する；
ｂ）磁界を適用する；
ｃ）吸収構造における少なくとも一つの感知手段の磁気弾性フィルムを励起する；
ｄ）磁界を切る；
ｅ）磁気音響共鳴周波数を記録する；
ｆ）所望により工程ｂ）〜ｅ）を繰り返す；そして
ｇ）吸収構造において湿潤／湿分／湿気、及び／又は少なくとも一つの生物分析物及び／又は少なくとも一つの化学分析物を検出するように磁気音響共鳴周波数の変化を検出する、
を含む方法。
【請求項１８】
磁界がパルス化された磁界である請求項１７に記載の方法。
【請求項１９】
前記ｃ）で励起された磁気弾性フィルムが励起コイルによって励起される請求項１７〜１８のいずれかに記載の方法。
【請求項２０】
前記ｅ）での記録がピックアップコイルによって検出される請求項１７〜１９のいずれかに記載の方法。
【請求項２１】
励起コイル及び所望によりピックアップコイルがハンドヘルドユニット中にあり、ハンドヘルドユニットが前記ｃ）で磁気弾性フィルムを励起するとき及び所望により前記ｅ）で磁気音響共鳴周波数を記録するときに吸収構造から０〜５ｍである請求項１７〜２０のいずれかに記載の方法。
【請求項２２】
湿潤を検出するための湿潤感知手段であって、前記湿潤感知手段は磁気弾性フィルムを含み、前記フィルムは前記湿潤と相互作用する材料で被覆され、前記感知手段が湿潤によって影響されないときに起こる前記感知手段における第一磁気音響共鳴周波数が、前記感知手段が湿潤で影響されるときに起こる第二磁気音響共鳴周波数とは異なるように、磁気音響振動の変化を生じる、感知手段。
【請求項２３】
前記感知手段は磁気弾性フィルムが吸収構造に影響する機械的力にさらされることを防止する保護パッケージを含み、その力は前述のように防止しなければ磁気弾性フィルムの磁気音響共鳴周波数に影響しうる請求項２２に記載の感知手段。
【請求項２４】
前記保護パッケージは、体排泄物又は体滲出物に見い出される少なくとも一つの化学分析物がパッケージを透過して磁気弾性フィルムの被覆に到達するように一つ以上の通路を与えられている請求項２３に記載の感知手段。
【請求項２５】
前記一つ以上の通路が孔、スロット、又は穴である請求項２４に記載の感知手段。
【請求項２６】
前記材料が質量変化材料である請求項２２に記載の感知手段。
【請求項２７】
前記質量変化材料が湿分を吸収することによってその質量を変化する請求項２６に記載の感知手段。
【請求項２８】
前記質量変化材料が湿潤にさらされるときに溶解することによってその質量を変化する請求項２７に記載の感知手段。
【請求項２９】
前記材料がポリマーである請求項２２に記載の感知手段。
【請求項３０】
前記ポリマーがポリビニルアルコール、ポリビニルピロリドン、ポリエチレンオキサイド及びそのコポリマー、ポリウレタン、ポリアミド、スターチ及びその誘導体、セルロース及びその誘導体、ポリサッカライド、蛋白質、ポリアクリロニトリル、アクリレートベースのポリマー、及びそれらの混合物に基づいた線状及び親水性ポリマー又は化学／物理架橋膨潤性ポリマーゲルからなる群から選択された湿潤感受性ポリマーである請求項２９に記載の感知手段。
【請求項３１】
永久磁石が前記感知手段に含まれる請求項２２に記載の感知手段。
【請求項３２】
前記磁石が磁気弾性フィルムと関連して配置される請求項３０に記載の感知手段。
【請求項３３】
前記磁石が磁気バイアス界を与えるために使用される請求項３１に記載の感知手段。
【手続補正２】
【補正対象書類名】明細書
【補正対象項目名】００３１
【補正方法】変更
【補正の内容】
【００３１】
さらなる側面では、湿潤、少なくとも一つの生物分析物及び／又は少なくとも一つの化学分析物を検出するための方法が提供される。かかる方法は下記工程を含む：
ａ）本発明による吸収構造、本発明による吸収物品、又は本発明によるシステムを準備する；
ｂ）磁界を適用する；
ｃ）吸収構造における少なくとも一つの感知手段の磁気弾性フィルムを励起する；
ｄ）磁界を切る；
ｅ）磁気音響共鳴周波数を記録する；
ｆ）所望により工程ｂ）〜ｅ）を繰り返す；そして
ｇ）吸収構造において湿潤／湿分／湿気、少なくとも一つの生物分析物及び／又は少なくとも一つの化学分析物を検出するように磁気音響共鳴周波数の変化を検出する。